(57)【要約】      （修正有）【課題】室内換気の強制と換気作動中を明示する、木炭着火ユニットを提供する。【解決手段】耐熱保温部材の塊と空間とを有する断熱保温通気集合体を内装し、その中心部に上下方向に貫通する点火通気空間を形成した保温通気ブロック本体１０と、保温通気ブロック本体の外周面を包囲し、少なくとも上半部を全面遮蔽面とする遮蔽耐熱側壁と、前記保温通気ブロック本体の内周面を包囲する遮蔽耐熱筒状内壁とを有する保温通気ブロックと、前記保温通気ブロック本体の垂直通気空間に連通する点火燃焼空間を形成する耐熱筒状体とを含み、上記耐熱筒状体の上部に開口を形成して、保温通気ブロックの天面上方とに向けて、上記保温通気ブロック本体の垂直通気空間とを連通し、上記耐熱筒状体の下半部は、上記保温通気ブロックの点火通気空間内に挿入されて点火燃焼部を形成し、点火燃焼部に挿入した植物性燃焼材の燃焼で、上方に向け白煙を発生させる。【選択図】図１
0003233634.tif 000002
【実用新案登録請求の範囲】
【請求項１】
耐熱保温部材の塊と空間とを有する断熱保温通気集合体を内装し、その中心部に上下方向に貫通する点火通気空間を形成した保温通気ブロック本体と、
保温通気ブロック本体の外周面を包囲し、少なくとも上半部を全面遮蔽面とする遮蔽耐熱側壁と、
前記保温通気ブロック本体の内周面を包囲する遮蔽耐熱筒状内壁と
を有する保温通気ブロックと、
前記保温通気ブロック本体の垂直通気空間に連通する点火燃焼空間を形成する耐熱筒状体とを含み、
上記耐熱筒状体の下半部は、上記保温通気ブロックの点火通気空間内に挿入されて点火燃焼部を形成し、点火燃焼部に挿入した植物性燃焼材の燃焼で、上方に向け白煙を発生させるとともに、
上記耐熱筒状体の上部に開口を形成して、保温通気ブロックの天面上方とに向けて、上記保温通気ブロック本体の垂直通気空間とを連通し、１
火起燃焼部に挿入した植物性着火固形燃料のうち、点火燃焼部に隣接する箇所を燃焼させて、火起し作用を開始し、火起燃焼部の周辺部に向け順次火起し作用を進行することを特徴とする、白煙を発生する木炭着火ユニット
【請求項２】
上記耐熱筒状体の天面に連続する煙突空間を形成したことを特徴とする白煙を発生する木炭着火ユニット
【請求項３】
耐熱保温部材の塊と空間とを有する断熱保温通気集合体を内装し、その中心部に上下方向に貫通する点火通気空間を形成した保温通気ブロック本体と、
保温通気ブロック本体の外周面を包囲し、少なくとも上半部を全面遮蔽面とする遮蔽耐熱側壁と、
前記保温通気ブロック本体の内周面を包囲する遮蔽耐熱筒状内壁と
を有する保温通気ブロックと、
前記保温通気ブロック本体の垂直通気空間に連通する点火燃焼空間を形成する耐熱筒状体とを含み、
さらに、
保温通気ブロックの下方に、保温通気ブロックの垂直通気空間に連通する中心開口を有するとともに、外気供給孔を有する下部タンクを装備したことを特徴とする白煙を発生する木炭着火ユニット
【考案の詳細な説明】
【技術分野】
【０００１】  本考案は、備中炭、菊炭などの白炭を主として、木炭、固形燃料の利用促進を目的として、木炭加熱機器（こんろ、火鉢、七輪など）の使用を促進する木炭着火手段に関するものである。
木炭、固形燃料の使用による一酸化炭素、亜硫酸ガスの中毒事故などの、換気不良のもとでの室内使用を阻止するため、室内換気の強制・確認を目的とする白煙発生手段に関するものである。
白煙は、灰色の煙を含み、植物性固形燃料の燃焼に際して発生する煙であるが、不完全燃焼・一酸化炭素発生時の黒色の煙に対比して、白色に近い明度の黒色に対応する色すなわち灰色の煙である。すなわち、白色の煙ではなく、白色と認識される色彩の煙である。本考案において、点火時に植物性固形燃料の点火による炭素燃焼による煙で包囲された空気層が「白色」と認識され、点火時に植物性固形燃料の点火燃焼により発生する「煙」は「白煙」を表示しているものである。
収穫後の秋の里山で、果実収穫後の枝、稲藁、もみ殻などの焼却処理−野焼き−により発生する「煙」は「白煙」として認識されている。
木炭着火手段を装備した木炭加熱機器として、特許文献１の特開２００１−２７７２０３「特許４４５３９９０」炭焼きコンロが公知である。
【先行技術文献】
【０００２】
【特許文献】
【０００３】
【特許文献１】特許公開公報  特開２００１−２７７２０３「特許４４５３９９０」炭焼きコンロ」。
【特許文献２】特許公開公報  特開２０１８−２０４７９６号「炭、練炭、豆炭等の固形燃料を使用する火鉢型卓上調理コンロ」。
【特許文献３】特許公開公報  特開２０２０−６７２６４号「木炭等の固形燃料用の火起装置および火起兼卓上調理器」。
【考案の概要】
【０００４】  従来の木炭加熱機器（こんろ、火鉢、七輪など）において、木炭着火手段として、野外用に限定されて、石油系点火剤、石油製品廃棄材の炭化固形物が存在する。亜硫酸ガスの発生の危険があり、室内調理には使用不適当である。
特許文献１の特開２００１−２７７２０３「特許４４５３９９０」炭焼きコンロにおいては、木炭着火手段として、固形燃料を使用しているが、固形燃料が石油系点火剤（エタノールを主成分とするもの）とすることで、前記同様に、亜硫酸ガスの発生の危険があり、室内調理には使用不適当である。
本願考案者は、卓上調理具の燃料として、過去に一般的に使用されていたところの、木炭等の固形燃料の使用を促進することを目的として、特許文献２の特開２０１８−２０４７９６号及び特許文献３の特開２０２０−６７２６４号の発明を開示している。
上記考案は、白煙発生することにより、ＣＯ検出、換気設備など存在する環境に限定して、家屋内での火起しを可能とするものである。
【考案が解決すべき課題】
【０００５】  特許文献１および特許文献２の発明においては、火起時に、点火エリヤに白煙を発生させることで、室内換気を強制して換気不良の室内での使用を阻止しているが、燃焼ゾーンの火起燃焼部への燃焼用の外気の供給と、点火エリヤへの白煙発生用の外気の供給とを、共通している。
保温通気ブロックを多用途に共用すべく、燃焼ゾーンの火起燃焼部への燃焼用の外気の供給量と、点火エリヤへの白煙発生用の外気についての、供給タイミング・供給量などを、それぞれを独立して制御して、燃焼ゾーンの火起燃焼部への火炎の燃焼度合と無関係に、点火エリヤの白煙発生の度合いを選択することは不可能である。
【０００６】  よって、本願考案は、「コロナ対策の３蜜阻止すなわち蜜室阻止のため」、室内換気の強制と換気作動中の明示を目的として、白煙発生を確実・強力にすることを課題とする。そのため、特許文献２および特許文献３の発明において燃焼ゾーンの火起燃焼部への燃焼用外気の供給を、白煙発生用の点火エリヤへの外気供給と分離することを課題とする。
【課題を解決するための手段】
【０００７】    本願請求項１の考案は、耐熱保温部材の塊と空間とを有する断熱保温通気集合体を内装し、その中心部に上下方向に貫通する点火通気空間を形成した保温通気ブロック本体と、
保温通気ブロック本体の外周面を包囲し、少なくとも上半部を全面遮蔽面とする遮蔽耐熱側壁と、
前記保温通気ブロック本体の内周面を包囲する遮蔽耐熱筒状内壁と
を有する保温通気ブロックと、
前記保温通気ブロック本体の垂直通気空間に連通する点火燃焼空間を形成する耐熱筒状体とを含み、
上記耐熱筒状体の上部に開口を形成して、保温通気ブロックの天面上方とに向けて、上記保温通気ブロック本体の垂直通気空間とを連通し、１
上記耐熱筒状体の下半部は、上記保温通気ブロックの点火通気空間内に挿入されて点火燃焼部を形成し、点火燃焼部に挿入した植物性燃焼材の燃焼で、上方に向け白煙を発生させることを特徴とする、白煙を発生する木炭着火ユニットを提供する。
本願請求項２の考案は、本願請求項１の考案に、上記耐熱筒状体の天面に連続する煙突空間を形成したことを特徴とする。
本願請求項３の考案は、本願請求項１の考案に、
保温通気ブロックの下方に、保温通気ブロックの垂直通気空間に連通する中心開口を有するとともに、外気供給孔を有する下部タンクを装備したことを特徴とする。
【考案の効果】
【０００８】  本願第１考案は中心部に上下方向に貫通する空間により、中心部に点火通気空間を形成した保温通気ブロック体の外周面を遮蔽耐熱側壁で包囲するとともに、内周面を遮蔽耐熱筒状内壁で包囲したから、上下方向にのみ貫通する保温通気層を形成して保温効果を高め、かつ燃焼部に対する燃焼空気を確実に供給することが出きる効果を有する。
【図面の簡単な説明】
【０００９】
【図１】本願考案の白煙を発生する木炭着火ユニットの実施例を示し、ａ図は斜視図、ｂ図は正面図、ｃ図は縦断面図、ｄ図は点火時を示す縦断面図、ｅ図は通気作用を示す縦断面図。
【図２】保温通気ブロックの実施例を示し、ａ図は斜視図、ｂ図は正面図、ｃ図は縦断面図、ｄ図は通気作用を示す縦断面図。
【図３】保温通気ブロックの第２実施例を示し、ａ図は斜視図、ｂ図は正面図、ｃ図は縦断面図、ｄ図は平面図。
【図４】点火燃焼部の実施例を示し、ａ図は耐熱筒状体の斜視図、ｂ図は同じく平面図、ｃ図は同じく正面図、ｄ図は煙突体を含む縦断面図。
【図５】本願第２項の考案の木炭着火ユニットの実施例を示し、ａ図は斜視図、ｂ図は正面図、ｃ図は平面図、ｄ図は縦断面図、ｅ図は燃焼時の通気説明図。
【図６】本願考案の燃焼作用を示し、ａ図は点火（第１）タィミングの説明図、ｂ図は第２タィミンの説明図、ｃ図は第３通気タィミングの説明図
【図７】本願第３項の考案の木炭着火ユニットの実施例を示し、ａ図は斜視図、ｂ図は正面図、ｃ図は縦断面図、ｄ図は作用を示す縦断面図。
【図８】木炭着火ユニットの使用例を示し、ａ図は木炭調理加熱装置の縦断面図、図は電気加熱手段を有する木炭調理加熱装置の縦断面図、
【本考案の好適な実施の形態】
【００１０】  白煙を発生する木炭着火ユニットＡは、保温通気ブロック１と耐熱筒状体２とで、構成する。
保温通気ブロック１は、その中心部を貫通する筒状の垂直通気空間Ｈ１を中心部
保温通気ブロック１は、その中心部を貫通する筒状の垂直通気空間Ｈ１を中心部に形成し、平面視で円形、四角形、多角形の箱状形状で、の耐熱性材質の塊と空間とを有する断熱保温通気集合体である保温通気ブロック本体１０と、保温通気ブロック本体の外周面を包囲し、少なくとも上半部を全面遮蔽面とする遮蔽耐熱側壁１１と、記保温通気ブロック本体の内周面を包囲する遮蔽耐熱筒状内壁１２とで構成する。
保温通気ブロック１は、保温通気ブロック体１０の垂直通気空間Ｈ１の上面および底面を常に開口する。
耐熱筒状体２は、前記保温通気ブロック本体の垂直通気空間に連通する点火燃焼空間を形成し、その側面上部に開口を有する筒状で、上面と底面を開口している。
上記耐熱筒状体の下半部は、上記保温通気ブロックの点火通気空間内に挿入されて点火燃焼部を形成し、
点火時には、垂直通気空間Ｈ１を上昇する燃焼空気のみを供給する。
点火燃焼部に挿入した植物性燃焼材の燃焼で、上方に向け白煙を発生させる。
上記耐熱筒状体の開口より、保温通気ブロックの天面上方の火起燃焼部に向けて、白煙を供給して、火起燃焼部に挿入した植物性着火固形燃料のうち、点火燃焼部に隣接する箇所を燃焼させ、火起燃焼部の周辺部に向け順次火起し作用を進行する。
上記耐熱筒状体の天面に連続する煙突空間を形成する。
保温通気ブロックの下方に、保温通気ブロックの垂直通気空間に連通する中心開口を有するとともに、外気供給孔を有する下部タンクを装備する。
【実施例】
【００１１】  図１ないし図７を参照して、本願考案の白煙を発生する木炭着火ユニットの実施例を説明する。【００１２】  図１を参照して、白煙を発生する木炭着火ユニットＡは、保温通気ブロック１と耐熱筒状体２とで、構成する。【００１３】  図２を参照して、保温通気ブロック１は、その中心部を貫通する筒状の垂直通気空間Ｈ１を中心部に形成した平面視で円形、四角形、多角形の箱型形状の耐熱性材質の成形製品で、
上下方向に通気性の存在する保温通気ブロック本体１０と、保温通気ブロック本体の外周面を包囲し、少なくとも上半部を全面遮蔽面とする遮蔽耐熱側壁１１と、前記保温通気ブロック本体の内周面を包囲する遮蔽耐熱筒状内壁１２とで構成する。【００１４】  上記の保温通気ブロック本体１０を構成する耐熱材料としては、金属、陶器、石材、特に七輪、練炭コンロの材質である珪藻土が該当する。
上記の遮蔽耐熱側壁１１を構成する耐熱材料としては、金属、陶土、石材が該当する。上記の遮蔽耐熱筒状内壁１２を構成する耐熱材料としては、金属、陶土、石材、特に七輪、練炭コンロの材質である珪藻土が該当する。【００１５】  保温通気ブロック１は、保温通気ブロック体１０の垂直通気空間Ｈ１の上面および底面を常に開口する。したがって、中心部について上下方向に通気性を有する。すなわち、中心部を上昇する燃焼空気の供給を可能とすることで、保温および通記の機能を有するブロック体である。
点火時には、垂直通気空間Ｈ１を上昇する燃焼空気のみを供給する。【００１６】  図３の実施例の保温通気ブロック１Ａにおいては、多数の金属塊・自然石Ｓを相互に接着することで、適宜に連通する空間Ｈの混在するブロック成形体１０Ａとした。
ブロック成形体１０Ａの外周面と内周面を金属面（金属ケースの外壁面）として常時遮蔽面とするとともに、上面、底面、可燃性遮蔽面（遮蔽性を有する厚紙の貼付）として、燃焼開始時には遮蔽面とする開口可能な遅延開口遮蔽面を構成することで、保温通気ブロック体１Ａは、燃焼開始時には、全面を遮蔽面とする。【００１７】  燃焼開始ののち、遅延開口遮面の開口の設定に基づいて、上下方向に通気を可能とする。【００１８】  図４は、本願考案の白煙発生機構の主要部を構成する耐熱筒状体２の実施例を示す。
耐熱筒状体２は、アルミパイプ・鉄パイプなどの耐熱性材質の筒状成形品である。断面を円形または多角形とし、上面及底面を開口し、上下方向に天下燃焼空間Ｈ２を形成する。【００１９】  上記耐熱筒状体の下半部は、上記保温通気ブロックの点火通気空間内に挿入されて点火燃焼部を形成し、点火燃焼部に挿入した植物性燃焼材の燃焼で、上方に向け白煙を発生させる構成とする。【００２０】  上記耐熱筒状体の上半部に開口２３を形成して、保温通気ブロックの天面上方の火起燃焼部に向けて通気口を構成する。【００２１】  上記耐熱筒状体２の内部は、点火燃焼空間Ｈ２を形成して、点火材料（植物性ファイバー状燃焼材）を挿入して、点火燃焼発煙を開始しで、白煙発生装置として機能する。【００２２】  図５は、本願第２項の考案の白煙を発生する木炭着火ユニットの実施例を示し、図４の木炭着火ユニットの耐熱筒状体２において、耐熱筒状体２の上面に煙突体２Ａを装備して、点火燃焼空間Ｈ２に連続する煙突空間Ｈ３を構成する。
煙突体２Ａを耐熱性材質とする場合には、煙突体２Ａを耐熱筒状体２と同一成形品とすることができる。
煙突体２Ａを可燃性材質とする場合には、煙突体２Ａは耐熱筒状体２と独立製品とするとともに、煙突体２Ａを耐熱筒状体２の上方に着脱自在とする。【００２３】  図５は、木炭着火ユニット３の実施例を示し、保温通気ブロック１に上記耐熱筒状体２を装備したのち、保温通気ブロック１の上方に、点火燃焼部２０を包囲する火起燃焼部３０を装備して、多用途木炭着火ユニット３を構成する。
火起燃焼部３０は、枠体３１内に植物性着火固形燃料Ｍ２を挿入自在とする。【００２４】  図６は参照して、火起し装置として、燃焼作用を説明する。
点火燃焼部２０の筒状管２１の内部（点火燃焼エリヤ）に挿入した点火燃焼材（植物性ファイバー）Ｍ１の燃焼で、上方に向け白煙を発生させたのち、点火燃焼部に隣接する箇所の火起燃焼エリヤに挿入した植物性ファイバー状の着火固形燃料Ｍ２−１を燃焼させて、火起し作用を開始することで、点火燃焼エリヤの白煙発生ののち、所定の設定タイミング、燃焼度合で火起燃焼エリヤの植物性着火固形燃料を燃焼させる。火起燃焼部３０には、植物性ファイバー上の着火固形燃料Ｍ２−１のほかに、切断木片、鉋屑、竹炭、木炭くずなどの集合体Ｍ２ａを、植物性着火固形燃料を装填する。【００２５】  図７は、本願第３項の考案の木炭着火ユニットの実施例を示し、保温通気ブロックの下方に、保温通気ブロックの垂直通気空間Ｈ１に連通する中心開口５１を有するとともに、外気供給孔５２を有する下部タンク５を装備する。
下部タンク５に点火材料（植物性ファイバー状燃焼材）を挿入することで、点火燃焼空間Ｈ２を挿入した点火材料（植物性ファイバー状燃焼材）ののちも、下部タンク５内の点火材料（植物性ファイバー状燃焼材）が燃焼することで、白煙発生を継続する。【００２６】  図８は、前記保温通気ブロック１の使用例炭調理加熱装置４を示し、
ａ図
前記保温通気ブロック１の下方に水平鉄面４１を有する台座４０とを設ける。
台座の水平鉄面４１と保温通気ブロック１の底面との間に、底部空間Ｈ３を形成する。
多用途木炭着火ユニット３の前記保温通気ブロック１の底面に対して、台座４０と水平鉄面４１とが接触にことで、卓上に置いた台座４０を介して、木炭調理加熱装置４による卓上調理を可能とする。【００２７】  ｂ図
電気加熱調理機の加熱手段として電気加熱調理機を利用する木炭調理加熱装置４Ａを示す。台座４０ｋ水平鉄面として、加熱手段４２を内蔵した電気加熱調理機の調理面４１Ａを適用する。
加熱手段（ヒータ）４２の通電制御により調理面４１Ａの加熱温度を設定することで、垂直通気空間Ｈ１の温度上昇を介して、点火空間Ｈ２の温度を、点火材料（植物性ファイバー、紙切断罪などの微細化した固形燃料）Ｍ１の発火点に達するまで上昇させることで、自動点火方式とすることができる。調理開始時間を設定可能とする。【００２８】  本発明における保温通気ブロックは、従来の木炭コンロにおける”灰″に代わる保温機能を有することで、”灰″を不要とするものであり、保管・移動・使用準備、使用後始末等の作業コストを低減できるものである。
ＬＰガスボンベを熱源とする卓上コンロに代替することで、ＬＰガスボンベの保管、使用時のガス漏れ事故・火災の危険を無くするとともに、震災時用の調理具として最適の調理具を提供する効果を有する。
旅館の食事室、焼肉料理店などにおいては、排煙設備が装備されていることで、白煙発生による室内通気状態の確認は不要とも考えられるが、コロナ対策の「蜜室排除」として「換気設備稼働中」を顧客に明示することで、″白煙発生”は有効である。
【産業上の利用可能性】
【００２９】  本発明は、木炭こんろ、火鉢などの木炭などの炭化固形燃料を燃料とする加熱手段の使用促進により、木炭などの炭化固形燃料の消費増強で、灯油使用の低減で温暖化対策に寄与するとともに、灯油・ＬＰガスに変えて固形燃料の常備備蓄することで、水害・地震など災害時対策として災害時火災発生低減に寄与するものである。
木炭などの炭化固形燃料の利用促進より産業の発展に寄与するものである。
【符号の説明】
【００３０】  １    保温通気ブロック
２    耐熱筒状体
２Ａ  煙突体
４    木炭調理加熱装置、
１０    保温通気ブロック体
１１    遮蔽耐熱側壁
１２    遮蔽耐熱内壁
【図１】
0003233634.tif 000003
【図２】
0003233634.tif 000004
【図３】
0003233634.tif 000005
【図４】
0003233634.tif 000006
【図５】
0003233634.tif 000007
【図６】
0003233634.tif 000008
【図７】
0003233634.tif 000009
【図８】
0003233634.tif 000010
【手続補正書】
【提出日】令和3年5月6日(2021.5.6)
【手続補正１】
【補正対象書類名】実用新案登録請求の範囲
【補正対象項目名】全文
【補正方法】変更
【補正の内容】
【実用新案登録請求の範囲】
【請求項１】
耐熱保温部材の塊と空間とを有する断熱保温通気集合体を内装し、その中心部に上下方向に貫通する点火通気空間を形成した保温通気ブロック本体と、保温通気ブロック本体の外周面を包囲し、少なくとも上半部を全面遮蔽面とする遮蔽耐熱側壁と、前記保温通気ブロック本体の内周面を包囲する遮蔽耐熱筒状内壁とを有する保温通気ブロックと、
前記保温通気ブロック本体の垂直通気空間に連通する点火燃焼空間を形成する耐熱筒状体とを含み、
上記耐熱筒状体の下半部は、上記保温通気ブロックの点火通気空間内に挿入されて点火燃焼部を形成し、点火燃焼部に挿入した植物性燃焼材の燃焼で、上方に向け白煙を発生させるとともに、
上記耐熱筒状体の上部に開口を形成して、保温通気ブロックの天面上方とに向けて、上記保温通気ブロック本体の垂直通気空間とを連通し、
火起燃焼部に挿入した植物性着火固形燃料のうち、点火燃焼部に隣接する箇所を燃焼させて、火起し作用を開始し、火起燃焼部の周辺部に向け順次火起し作用を進行することを特徴とする、白煙を発生する木炭着火ユニット。
【請求項２】
耐熱保温部材の塊と空間とを有する断熱保温通気集合体を内装し、その中心部に上下方向に貫通する点火通気空間を形成した保温通気ブロック本体と、保温通気ブロック本体の外周面を包囲し、少なくとも上半部を全面遮蔽面とする遮蔽耐熱側壁と、前記保温通気ブロック本体の内周面を包囲する遮蔽耐熱筒状内壁とを有する保温通気ブロックと、前記保温通気ブロック本体の垂直通気空間に連通する点火燃焼空間を形成する耐熱筒状体とを含み、
上記耐熱筒状体の下半部は、上記保温通気ブロックの点火通気空間内に挿入されて点火燃焼部を形成し、点火燃焼部に挿入した植物性燃焼材の燃焼で、上方に向け白煙を発生させるとともに、
上記耐熱筒状体の上部に開口を形成して、保温通気ブロックの天面上方とに向けて、上記保温通気ブロック本体の垂直通気空間とを連通し、
火起燃焼部に挿入した植物性着火固形燃料のうち、点火燃焼部に隣接する箇所を燃焼させて、火起し作用を開始し、火起燃焼部の周辺部に向け順次火起し作用を進行するとともに、
上記耐熱筒状体の天面に連続する煙突空間を形成したことを特徴とする白煙を発生する木炭着火ユニット。
【請求項３】
耐熱保温部材の塊と空間とを有する断熱保温通気集合体を内装し、その中心部に上下方向に貫通する点火通気空間を形成した保温通気ブロック本体と、保温通気ブロック本体の外周面を包囲し、少なくとも上半部を全面遮蔽面とする遮蔽耐熱側壁と、前記保温通気ブロック本体の内周面を包囲する遮蔽耐熱筒状内壁とを有する保温通気ブロックと、
前記保温通気ブロック本体の垂直通気空間に連通する点火燃焼空間を形成する耐熱筒状体とを含み、
さらに、保温通気ブロックの下方に、保温通気ブロックの垂直通気空間に連通する中心開口を有するとともに、外気供給孔を有する下部タンクを装備したことを特徴とする白煙を発生する木炭着火ユニット。
【手続補正２】
【補正対象書類名】明細書
【補正対象項目名】０００７
【補正方法】変更
【補正の内容】
【０００７】    本願請求項１の考案は、耐熱保温部材の塊と空間とを有する断熱保温通気集合体を内装し、その中心部に上下方向に貫通する点火通気空間を形成した保温通気ブロック本体と、保温通気ブロック本体の外周面を包囲し、少なくとも上半部を全面遮蔽面とする遮蔽耐熱側壁と、前記保温通気ブロック本体の内周面を包囲する遮蔽耐熱筒状内壁とを有する保温通気ブロックと、前記保温通気ブロック本体の垂直通気空間に連通する点火燃焼空間を形成する耐熱筒状体とを含み、
上記耐熱筒状体の上部に開口を形成して、保温通気ブロックの天面上方とに向けて、上記保温通気ブロック本体の垂直通気空間とを連通し、
上記耐熱筒状体の下半部は、上記保温通気ブロックの点火通気空間内に挿入されて点火燃焼部を形成し、点火燃焼部に挿入した植物性燃焼材の燃焼で、上方に向け白煙を発生させることを特徴とする、白煙を発生する木炭着火ユニットを提供する。
本願請求項２の考案は、本願請求項１の考案に追加して、上記耐熱筒状体の天面に連続する煙突空間を形成したことを特徴とする。
本願請求項３の考案は、本願請求項１の考案に追加して、保温通気ブロックの下方に、保温通気ブロックの垂直通気空間に連通する中心開口を有するとともに、外気供給孔を有する下部タンクを装備したことを特徴とする。
【手続補正３】
【補正対象書類名】明細書
【補正対象項目名】００３０
【補正方法】変更
【補正の内容】
【００３０】  １    保温通気ブロック
２    耐熱筒状体
２Ａ    煙突体
４    木炭調理加熱装置、
１０    保温通気ブロック体
１１    遮蔽耐熱側壁
１２    遮蔽耐熱内壁